(57)【要約】【課題】電源部から延びる複数本の給電線の，支持板上に直線的に並べられた複数のランプ配設ラインに取付けられている複数の光源基板への取付けが，容易にしかも正確且つ迅速にでき，更にこれらの対応付けが間違った場合にはその間違いが一目瞭然に分かるようにすること。【解決手段】長さが異なる複数の隙間充填材を，これらの長さが順次減少する順番に複数のハーネスの各々に順次対応付けて取付けておくことで，隙間充填材の長さが順次減少する順番に，ハーネスを配置順序に並んでいる光源基板に順々に配線するだけで，ハーネスを接続すべき複数の光源基板に正確に且つ容易に配線できる。【選択図】図５
2011054309.tif 000002
【特許請求の範囲】
【請求項１】
複数個の発光部品を装着した光源基板が直線的に並べられた複数のランプ配設ラインに夫々取付けられてなる支持板を備え，電源部から延びる複数本の給電線を介して複数の前記光源基板の夫々に電力が供給される液晶表示装置用バックライトであって，
複数本の前記給電線のうちの何れの給電線を，複数の前記光源基板のうちの何れの光源基板に対応付けるのかを指示可能な対応付け手段を備えてなることを特徴とする液晶表示装置用バックライト。
【請求項２】
前記対応付け手段は，複数本の前記給電線の各々に取付けられた複数の対応付け指示部材であって，これら対応付け指示部材の長さが前記光源基板の前記支持板上における配置順序に応じて順次増大又は減少するように構成されてなる請求項１に記載の液晶表示装置用バックライト。
【請求項３】
前記電源部から延びる複数本の前記給電線が嵌め込まれる切欠き部が複数の前記ランプ配設ラインの各々に対応させて前記支持板の端部に夫々形成され，前記対応付け指示部材は，前記切欠き部に配線された前記給電線の隙間に充填する為に複数本の前記給電線の各々に嵌着された弾性材からなる隙間充填材である請求項２に記載の液晶表示装置用バックライト。
【請求項４】
前記対応付け手段は，複数本の前記給電線の長さが，これに接続される前記光源基板の前記支持板上における配置順序に応じて順次増大又は減少するように構成されてなる請求項１に記載の液晶表示装置用バックライト。
【発明の詳細な説明】
【技術分野】
【０００１】
本発明は，液晶表示用バックライトに関し，特に多数の発光部品（ＬＥＤ）を設けたＬＥＤ基板への給電部に改良を加えたバックライトに関するものである。
【背景技術】
【０００２】
昨今，液晶テレビジョン受像機に代表される液晶表示装置のバックライトの光源としては，発光ダイオード（ＬＥＤ）を採用したものが普及しつつある。バックライトの光源を，従来から使用していた冷陰極放電管からＬＥＤに替えることにより，液晶表示装置をさらに薄型化及び長寿命化することが可能となり，高圧電源が不要になること等により更なる省電力化が期待できる。また，点光源であるＬＥＤは，冷陰極放電管よりも光源レイアウトの自由度が高くなり，映像表示領域をより細分化した輝度調節が可能となる。そのため，ＬＥＤを光源とするバックライトは，表示映像の画質向上にも寄与する。
【０００３】
バックライト用のＬＥＤは，電力供給用の配線パターンが形成されたＬＥＤ基板に実装され，液晶パネルの背面のほぼ全域に渡って整然と配置される必要がある。
最近では，６０型や６５型など，液晶テレビジョン受像機が大型化される傾向にある。そこで，このように液晶表示装置の大型化に伴って液晶パネルも大型化されるので，液晶パネルに配設されるＬＥＤ基板の横方向の長さが長くなる。この場合には，大型化したＬＥＤ基板の取付け作業が煩雑化するだけでなく，ＬＥＤ基板自体が高価になり，コスト的に問題がある。また，６０型や６５型のＬＥＤ基板を３２型や４０型の液晶表示装置に使えないので，ＬＥＤ基板の共通化が図れないという問題がある。
【０００４】
そこで，１つのＬＥＤ基板に少数のＬＥＤを装着するようにしてＬＥＤ基板の小型化を図ることが考えられる。例えば，５個のＬＥＤを１列状に配列した５個用ＬＥＤ基板と，６個のＬＥＤを１列状に配列した６個用ＬＥＤ基板と，８個のＬＥＤを１列状に配列した８個用ＬＥＤ基板の３種類を準備し，これら３種類のＬＥＤ基板を組み合わせて支持板に取付けるようにしたものが用いられている。
これにより，ＬＥＤ基板を，画面サイズの異なる何れの液晶表示装置においても共用でき，ＬＥＤ基板の共通部品化が可能になり，更に液晶パネルの生産性が向上する。また、このような複数のＬＥＤ基板を横一列に並べたものをランプ配置ラインと呼ぶ。
【０００５】
このようなバックライト装置では，支持板の縦方向所定間隔置きに，複数のランプ配置ラインを直線的に並べて配置するように予め決められている。そして，各ランプ配置ライン毎に設けられる光源基板の各々に電源部からの駆動電圧が給電線を介して供給される。
【０００６】
液晶表示装置は，次の映像信号が来るまで直前の映像を表示し続けるホールド特性があるため，人の目には動画ボケとして感じられる事がある。この改善方法として，前後の映像フレームから新たな映像コマを作成・補完する事で，ホールド時間を短くする方法（倍速駆動），また，各映像コマ間で，映像の走査にあわせバックライトの一部を順次消灯させる事で，ホールド時間を短くする方法（バックライトスキャン）がある。後者のバックライトスキャンでは，バックライトを順次制御する必要があるため，ランプ配置ラインに接続される夫々の給電線がこれに対応する各ランプ配置ライン（光源基板）に正しく接続されなければならない。例えば，ｎ番目の給電線をｎ番目の光源基板に間違えることなく接続する必要がある。
【０００７】
そこで，液晶表示装置のホールド特性を改善するために、給電線を光源基板に正確に対応付けて接続する対応付け技術が必要になる。例えば，特許文献１に記載の表示装置は，蛍光ランプの共通カソード電極にフレキシブルケーブルを接続し，蛍光ランプのアノード電極にフレキシブルケーブルを接続する場合，共通カソード電極に接続したフレキシブルケーブルのコネクタがアノード電極に接続したフレキシブルケーブルのコネクタより長い位置になるように構成したものである。このような表示装置では，マザーボードに設けた２つの被接続コネクタに，カソード電極のフレキシブルケーブルとアノード電極のフレキシブルケーブルとを，相互に異なる長さに基づいて間違うことなく接続することができる。
【先行技術文献】
【特許文献】
【０００８】
【特許文献１】特開平３−１９６０９１号公報
【発明の概要】
【発明が解決しようとする課題】
【０００９】
しかしながら，特許文献１に記載の表示装置では，２つのコネクタの引き出し位置について，一方を他方より長くしておくことで，つまりフレキシブルケーブルとこれを取付けるコネクタとの対応を図ってはいるものの，この対応関係では，２つのフレキシブルケーブルに限って有効であって，３本以上のフレキシブルケーブルの場合について適用される対応付け技術を開示したものではない。そこで，３本以上のフレキシブルケーブルと３つ以上のコネクタとを対応付けようとすると，これらの対応関係，つまり長さが一番長いフレキシブルケーブルとコネクタ番号，次に長いフレキシブルケーブルとコネクタ番号というように，全てのフレキシブルケーブルとコネクタ番号との対応関係を予めメモ書きするなどして記録しておく必要が生じ，余分な手間がかかると共に，対応付けを間違える可能性がある。しかも，これらの対応関係が間違っていても，その間違いを見つける手段が何ら無いので，間違った対応関係のままになっているバックライトが用いられることになり，バックライトの制御が正しく行われないことになる。
従って，本発明は上記事情に鑑みてなされたものであり，その目的とするところは，電源部から延びる複数本の給電線の，支持板上に直線的に並べられた複数のランプ配設ラインに取付けられている複数の光源基板への取付けが，容易にしかも正確且つ迅速にでき，更にこれらの対応付けが間違った場合にはその間違いが一目瞭然に分かるような液晶表示装置用バックライトを提供することにある。
【課題を解決するための手段】
【００１０】
上記目的を達成するために本発明は，複数個の発光部品を装着した光源基板が直線的に並べられた複数のランプ配設ラインに夫々取付けられてなる支持板を備え，電源部から延びる複数本の給電線を介して複数の前記光源基板の夫々に電力が供給される液晶表示装置用バックライトであって，
複数本の給電線のうちの何れの給電線を，複数の光源基板のうちの何れの光源基板に対応付けるのかを指示可能な対応付け手段を備えてなるものである。
このように，複数本の給電線のうちの何れの給電線を，複数の光源基板のうちの何れの光源基板に対応付けるのかを指示可能な対応付け手段を備えたので，組み立て作業に携わる作業者は，対応付け手段で指示されるように，複数本の給電線の各々を，複数の光源基板の各々に簡単に且つ正確に対応付けて配線することができ，配線間違いをすることなく，容易にしかも正確且つ迅速に配線できる。
ここで，対応付け手段は，例えば，複数本の給電線の各々に取付けられた複数の対応付け指示部材であって，これら対応付け指示部材の長さが光源基板の支持板上における配置順序に応じて順次増大又は減少するようなものを採用することができる。この場合，長さが異なる複数の対応付け指示部材を，これらの長さが順次増大又は減少する順番に複数本の給電線の各々に順次対応付けて取付けておけば，対応付け指示部材の長さが順次増大又は減少する順番に，給電線を配置順序に並んでいる光源基板に順々に配線するだけで，複数本の給電線を接続すべき正しい光源基板に正確に且つ容易に配線することができる。また，万が一，給電線の配線を間違った場合には，対応付け指示部材の長さが順次増大又は減少しない為，配線間違いが一目瞭然に分かる。
また，電源部から延びる複数本の給電線が嵌め込まれる切欠き部が複数のランプ配設ラインの各々に対応させて支持板の端部に夫々形成されている場合があるが，そのような場合には，対応付け指示部材を，切欠き部に配線された給電線の隙間に充填する為に複数本の給電線の各々に嵌着された弾性材からなる隙間充填材で構成することが望ましい。このような隙間充填材を前記切欠き部に挟み込んで固定することで，切欠き部からの光の漏れを防止しつつ，給電線を順序良く正確にランプ配設ラインに接続することができる。
更に，対応付け手段は，例えば，複数本の給電線の長さが，これに接続される光源基板の支持板上における配置順序に応じて順次増大又は減少するような構成により実現することができる。この場合，複数本の給電線の長さを，順次増大又は減少するようにしておけば，複数の光源基板の各々への対応付けを失敗することなく，複数本の給電線を接続すべき正しい光源基板に正確に且つ容易に配線することができる。また，万が一，複数本の給電線の配線を間違った場合には，給電線の長さが順次増大又は減少しない為，配線間違いが一目瞭然に分かる。
【発明の効果】
【００１１】
本発明によれば，複数本の給電線のうちの何れの給電線を，複数の光源基板のうちの何れの光源基板に対応付けるのかを指示可能な対応付け手段を備えたので，電源部から延びる複数本の給電線を複数の光源基板に配線する場合に，対応付け手段で指示されるように配線するだけで，配線間違いをすることなく，容易に，正確且つ迅速に配線することができる。しかも，複数本の給電線の配線間違いがあった場合でも，対応付け手段により，その配線間違いが一目瞭然に分かるようになる。
【図面の簡単な説明】
【００１２】
【図１】本発明の実施形態に係るバックライトを備えた液晶表示装置を構成する前面パネルユニット及び背面パネルユニットの分解図。
【図２】液晶表示装置における前面パネルユニットの分解図。
【図３】複数のランプ配設ラインに複数の光源基板が設けられたシャーシの平面図。
【図４】電源基板とこれから延びる複数のハーネスの接続図
【図５】複数のハーネスを接続したシャーシの側面図。
【図６】変更形態に係る図４相当図。
【発明を実施するための形態】
【００１３】
以下，添付図面を参照しながら，本発明の実施の形態について説明し，本発明の理解に供する。尚，以下の実施の形態は，本発明を具体化した一例であって，本発明の技術的範囲を限定する性格のものではない。
【００１４】
本発明の実施形態に係るバックライトＺは，発光部品であるＬＥＤ（発光ダイオード）を光源として液晶パネルをその背面側から照明する装置である。
以下，図１及び図２を参照しつつ，液晶表示装置Ｘの概略構成について説明する。
図１に示すように，液晶表示装置Ｘは，前面パネルユニット２と，その背面側を覆うように装着されて外装を形成する背面パネルユニット１とを備え，前面パネルユニット２には後述する液晶パネル２０とバックライトＺ等が組込まれている（図２）。以下，液晶表示装置Ｘにおいて，液晶パネル２０が設けられた側を前面側と称し，背面パネルユニット１が設けられた側を背面側と称する。
【００１５】
また，図２に示すように，前面パネルユニット２は，前面パネル枠１０と液晶パネル２０とバックライトＺとが一体的に組付けられユニット化されている。
液晶パネル２０は，液晶が組込まれたガラスパネルと，光拡散板と，光学シート等により構成されている。そして，液晶パネル２０は前面パネル枠１０の内側に取付けられている。
【００１６】
また，バックライトＺは，金属板からなる矩形状のシャーシ４０（支持板に相当する）に，光源基板３０Ａ〜３０F及びその他の電装基板５１〜５３が取付けられた装置である。光源基板３０Ａ〜３０Ｆは，シャーシ４０の前面側に取付けられ，その他の電装基板５１〜５３は，シャーシ４０の背面側に取付けられている。シャーシ４０の背面側に取付けられる電装基板５１〜５３は，例えば，電源基板（電源部に相当する）５１，ＬＥＤ制御基板５２及びその他の制御基板５３等である。
【００１７】
電源基板５１は，これに接続された複数のハーネス６２ａ〜６２ｆ（給電線に相当する）により光源基板３０Ａ〜３０Ｆに対して駆動電圧を供給するものである。また，ＬＥＤ制御基板５２は，光源基板３０Ａ〜３０Ｆをバックライトスキャン制御を含む，光源基板３０Ａ〜３０Ｆ内のＬＥＤの制御を行う基板である。光源基板３０Ａ〜３０Ｆはハーネス６２ａ〜６２ｆによりＬＥＤ制御基板５２に接続され，ＬＥＤ制御基板５２は図示しないハーネスにより電源基板５１に接続されている。それ故，光源基板３０Ａ〜３０ＦはＬＥＤ制御基板５２によりバックライトスキャンを含むＬＥＤの制御が行われるようになっている。
なお，図３に示す光源基板３０Ａ〜３０Ｆは，図２においてはシャーシ４０の向こう側に隠れた状態となっているが，図示しない複数の固定具によりシャーシ４０の前面側に取付けられている。
【００１８】
以下，図２，図３を参照しつつ，バックライトＺについて説明する。
光源基板３０Ａ〜３０Ｆは，白色光の発光部品であるＬＥＤ３３とそのＬＥＤ３３の出力光を拡散させる光拡散レンズ３４との組部品が所定間隔置きに装着された電装基板である。
ここで，光源基板３０Ａ〜３０Ｆは，図３に示すように，シャーシ４０上に垂直方向に直線的に並べられた６つの第１〜第６ランプ配設ラインＬ１〜Ｌ６に対応させて順々に取付けられている。このシャーシ４０では，上側から順に第１ランプ配設ラインＬ１，第２ランプ配設ラインＬ，…第６ランプ配設ラインＬ６が配設されている。
ランプ配設ラインについて，ここでは６列の例を示したが，当然ながらこれは一例であって，６列以外の任意の列数とすることが可能である。
【００１９】
このシャーシ４０の場合，各ランプ配設ラインＬ１〜Ｌ６に，１３個のＬＥＤ３３が一直線状に各々並べて設けられる大きさであり，各光源基板３０Ａ〜３０Ｆは，５個のＬＥＤ３３が一列に取付けられた５個用ＬＥＤ基板３０ａと，８個のＬＥＤ３３が一列に取付けられた８個用ＬＥＤ基板３０ｂとを図示しない接続用コネクタを介して電気的に一体的に連結されたものである。各光源基板３０Ａ〜３０Ｆの左端部には，後述するハーネス６２ａ〜６２ｆの端部に取付けた給電側コネクタ６０に接続する基板側コネクタ３６が夫々設けられている。
【００２０】
次に，各光源基板３０Ａ〜３０Ｆを電源基板５１に接続するハーネス６２ａ〜６２ｆと，これに取付けられた隙間充填材（対応付け指示部材の一例に相当する）７０ａ〜７０ｆについて説明する。
図２，図３に示すように，電源基板５１はシャーシ４０の背面側の下側に取付けられ，光源基板３０Ａ〜３０Ｆはシャーシ４０の前面側に取付けられている。図４に示すように，各ハーネス６２ａ〜６２ｆの先端部に給電側コネクタ６０が夫々取付けられ，光源基板３０Ａ〜３０Ｆの各々はハーネス６２ａ〜６２ｆ及びこれら給電側コネクタ６０と，これに接続される基板側コネクタ３６を介して電源基板５１に個別に接続されている。
【００２１】
各第１〜第６ハーネス６２ａ〜６２ｆの給電側コネクタ６０近傍部には，スポンジ等の弾性材からなり，順次長さが短く(順次減少）なる６種類の隙間充填材７０ａ〜７０ｆが，対応する第１〜第６ハーネス６２ａ〜６２ｆに夫々嵌め込まれて取付けられている。このように，第１〜第６ハーネス６２ａ〜６２ｆの各々に嵌着された６種類の隙間充填材が，対応付け手段の一例に相当する。即ち，図４に示すように，第１ランプ配設ラインＬ１上の光源基板３０Ａに接続される第１ハーネス６２ａに，長さが一番長い第１隙間充填材７０ａが対応付けて取付けられている。次の第２〜第５ハーネス６２ｂ〜６２ｅについては，順次長さが短くなる第２〜第５隙間充填材７０ｂ〜７０ｅが対応付けて取付けられ，最後に第６ランプ配設ラインＬ６に配置される光源基板３０Ｆに接続される第６ハーネス６２ｆに，長さが一番短い第６隙間充填材７０ｆが取付けられている。
【００２２】
ところで，図３，図５に示すように，シャーシ４０の正面視左側端部には，第１〜第６ランプ配設ラインＬ１〜Ｌ６の各々に対応させて，第１〜第６ハーネス６２ａ〜６２ｆを嵌め込むように，外側に開放する矩形状の切欠き部４０ａが夫々形成されている。
そこで，第１〜第６ハーネス６２ａ〜６２ｆを配線するに際して，先ず，これら切欠き部４０ａを経て第１〜第６ハーネス６２ａ〜６２ｆが配線される。また，この配線に際して，図５に示すように，第１〜第６隙間充填材７０ａ〜７０ｆの各々の給電側コネクタ６０側の端部が対応する上記切欠き部４０ａに夫々挟み込むように充填される。即ち，弾性材からなる第１〜第６隙間充填材７０ａ〜７０ｆの各々は，各切欠き部４０ａの全体を密封するように充填されるので，これら第１〜第６隙間充填材７０ａ〜７０ｆにより，光源基板３０Ａ〜３０Ｆからの光が外部に漏れる事がなく，しかも外部からの埃が内部に侵入するのが確実に防止される。
【００２３】
このような配線時には，第１〜第６ハーネス６２ａ〜６２ｆに取付けた第１〜第６隙間充填材７０ａ〜７０ｆの長さが，これに接続される光源基板３０Ａ〜３０Ｆのシャーシ４０上における配置順序に応じて減少させるようにしてあるので，図５に示すように，第１〜第６隙間充填材７０ａ〜７０ｆの長さが，第１ランプ配設ラインＬ１から第６ランプ配設ラインＬ６に向かうのに応じて短くなるように，第１〜第６ハーネス６２ａ〜６２ｆを接続するだけで，第１〜第６ハーネス６２ａ〜６２ｆと光源基板３０Ａ〜３０Ｆとの対応関係を間違うことなく，対応する光源基板３０Ａ〜３０Ｆに正確に接続することができる。
ところで，電源基板５１の取付け位置によっては，第１〜第６ハーネス６２ａ〜６２ｆに取付けられた第１〜第６隙間充填材７０ａ〜７０ｆの長さを，これに接続される光源基板３０Ａ〜３０Ｆのシャーシ４０上における配置順序に応じて「増大」するようにしてもよい。この場合にも，前記「減少」の場合と同様の効果が得られる。また，第１〜第６隙間充填材７０ａ〜７０ｆに代えて，各種の対応付け指示部材を第１〜第６ハーネス６２ａ〜６２ｆに取付けるようにしても良い。
【００２４】
更に，次の変更形態について，図６に基づいて説明する。
この変更形態においては，前述した実施形態と異なる第１〜第６ハーネス６２ａ〜６２ｆについて説明し，その他については前記実施形態と同様である為，その詳しい説明を省略する。
この場合，図６に示すように，第１〜第６ハーネス６２ａ〜６２ｆに代えて，第１〜第６ハーネス６４ａ〜６４ｆが電源基板５１に接続されている。
前述したように，電源基板５１はシャーシ４０の背面側の下側に取付けられているので，この電源基板５１から電源基板５１よりも上側に配置されている光源基板３０Ａ〜３０Ｆに接続する第１〜第６ハーネス６４ａ〜６４ｆの長さは，これに接続される光源基板３０Ａ〜３０Ｆのシャーシ４０上における配置順序に応じて減少させるようになっている。つまり，第１ハーネス６４ａの長さが一番長く，第６ハーネス６４ｆの長さが一番短くなっている。
【００２５】
また，各第１〜第６ハーネス６４ａ〜６４ｆの給電側コネクタ６０近傍部には，スポンジ状の弾性材からなる短い所定長さの隙間充填材７０ｈが各ハーネス６４ａ〜６４ｆに嵌着されている。この場合も，第１〜第６ハーネス６４ａ〜６４ｆの配線に際して，隙間充填材７０ｈの各々を対応する切欠き部４０ａに夫々挟み込むように充填される。即ち，第１ランプ配設ラインＬ１上の光源基板３０Ａに，一番長い第１ハーネス６４ａが接続される。続けて，長さが順々に短くなる第２〜第５ハーネス６４ｂ〜６４ｅについても同様に，第２〜第５ランプ配設ラインＬ２〜Ｌ５上の光源基板３０B〜３０Eに順次対応付けて取付けられる。そして最後に，第６ランプ配設ラインＬ６上の光源基板３０Ｆに，一番短い第６ハーネス６４ｆが接続される。この場合にも，この隙間充填材７０ｈにより，光源基板３０Ａ〜３０Ｆからの光が外部に漏れる事がなく，しかも外部からの埃が内部に侵入するのが確実に防止される。
【００２６】
このように，電源基板５１から延びる６本の第１〜第６ハーネス６４ａ〜６４ｆの長さを，これに接続される光源基板３０Ａ〜３０Ｆのシャーシ４０上における配置順序に応じて順次減少させるように，つまり第１〜第６ハーネス６４ａ〜６４ｆの途中部が同様な弛み状態或いは張り状態になるように，第１〜第６ハーネス６４ａ〜６４ｆを光源基板３０Ａ〜３０Ｆに接続するだけで，第１〜第６ハーネス６４ａ〜６４ｆの光源基板３０Ａ〜３０Ｆとの対応関係を間違うことなく，正確に接続することができる。この場合，６本の第１〜第６ハーネス６４ａ〜６４ｆの長さは，対応する光源基板３０Ａ〜３０Ｆに弛むことなく配線できるのに十分な長さになっているので，第１〜第６ハーネス６４ａ〜６４ｆの１つでも接続を間違えて配線した場合，間違えた幾本かの第１〜第６ハーネス６４ａ〜６４ｆの弛み度合いが異なることから，配線間違いに直ぐに気付くことができる。
もちろん，電源基板５１の取付け位置によっては，第１〜第６ハーネス６４ａ〜６４ｆの長さが，これに接続される光源基板３０Ａ〜３０Ｆのシャーシ４０上における配置順序に応じて順次「増大」するように設定される。この場合にも，前記「減少」の場合と同様の効果が得られる。
【産業上の利用可能性】
【００２７】
本発明は，液晶表示装置のバックライトに利用可能である。
【符号の説明】
【００２８】
Ｚ：バックライト
Ｘ：液晶表示装置
Ｌ１〜Ｌ６：第１〜第６ランプ配設ライン
１０：前面パネル枠
２０：液晶パネル
３０Ａ〜３０Ｆ：光源基板
３０ａ：５個用LED基板
３０ｂ：８個用LED基板
３３：ＬＥＤ（発光部品）
３４：光拡散レンズ
３６：基板側コネクタ
４０：シャーシ（支持板）
４０ａ：切欠き部
５１：電源基板（電源部）
５２：ＬＥＤ制御基板
５３：その他の制御基板
６０：給電側コネクタ
６２ａ〜６２ｆ：第１〜第６ハーネス（給電線）
６４ａ〜６４ｆ：第１〜第６ハーネス（給電線）
７０ａ〜７０ｆ：第１〜第６隙間充填材
【図１】
2011054309.tif 000003
【図２】
2011054309.tif 000004
【図３】
2011054309.tif 000005
【図４】
2011054309.tif 000006
【図５】
2011054309.tif 000007
【図６】
2011054309.tif 000008